(57)【要約】【課題】パッドアームを容易に取り替えできることに加えて、パッドアームの曲げ角度を微調整しても取付構造が壊れ難く、またパッドアームがブリッジに緩まずにしっかりと固定でき、使用耐久性にも優れたパッドアーム取付構造とし、またはこれによって使用耐久性およびパッドアームの調整機能および顔面フィット性に優れた眼鏡にすることである。【解決手段】左右一対の眼鏡レンズＬを連結するブリッジ１に固定されるパッドアーム２を、ブリッジ１の長孔３に対して着脱可能に取付け、左右一対のノーズパッド４を両端部に保持する線材からなるパッドアーム２の中ほどに凸形のばね性のある折曲部５を設けた眼鏡のパッドアーム取付構造とする。ブリッジ１の接顔面側に開口させて所定の大きさの長孔３を設け、この長孔３は、パッドアーム２の両端部が接近する方向に弾性変形させた際の折曲部５を挿入可能な大きさの長径ａであり、かつ前記弾性によるばね力で折曲部５に密接して保持可能な短径ｂに形成される。【選択図】図１
2013045046.tif 000002
【特許請求の範囲】
【請求項１】
左右一対の眼鏡レンズを連結するブリッジに固定されるパッドアームを、前記ブリッジに対して着脱可能に取付けたパッドアーム取付構造において、
前記パッドアームは、左右一対のノーズパッドを両端部に保持する線材の中ほどにばね性の折曲部を設けたものからなり、前記ブリッジの接顔面側に開口させて所定の大きさの長孔を設け、この長孔の大きさは、前記折曲部をばね力に抗してパッドアームの両端部が接近する方向に縮めた状態で挿入可能な長径であり、かつ前記折曲部に密接して保持可能な短径であることを特徴とする眼鏡のパッドアーム取付構造。
【請求項２】
上記折曲部が、Ｕ字状、Ｍ字状、Ｖ字状または凸状の折曲部である請求項１に記載の眼鏡のパッドアーム取付構造。
【請求項３】
上記ブリッジが、眼鏡のレンズ枠と一体に設けられたブリッジまたはレンズに直接取り付けられたブリッジである請求項１または２に記載の眼鏡のパッドアーム取付構造。
【請求項４】
請求項１〜３のいずれかに記載の眼鏡のパッドアーム取付構造を有する眼鏡。
【発明の詳細な説明】
【技術分野】
【０００１】
この発明は、眼鏡のパッドアーム取付構造およびその構造を有する眼鏡に関するものである。
【背景技術】
【０００２】
一般に、眼鏡のノーズパッド（鼻当て）をクリングスと一体的に構成して、これらを必要に応じて容易に取り替えることのできるパッドアーム取付構造が知られている。
【０００３】
図４に示すように、従来のパッドアーム取付構造の例としては、ブリッジ１０に設けられる一対の突起部１１と、この突起部１１の間に嵌入されて、その両端部がこの突起部１１に固定される湾曲部１２及びこの湾曲部１２の両端にそれぞれ一体形成されているクリングス１３から成る支持体と、このクリングス１３の先端に固定されるノーズパッド１４からなる。
【０００４】
一対の突起部１１は、互いに例えば１５ｍｍ程度の間隔を開けてブリッジ１０に固定される直径１ｍｍ程度の小さな略円柱状の金属部材であり、両端及び中央部に外側に向けて広がるフランジが形成されており、基端がブリッジ１０内に埋め込まれて固定されているとともに、先端が接眼方向に突出している。
【０００５】
このようなパッドアーム取付構造を眼鏡フレームのブリッジ１０に取り付けるときに、湾曲部１２の両端部、一対のクリングス１３、または一対のノーズパッド１４に互いに接近する方向に力を加えて、湾曲部１２をより湾曲する方向に弾性変形させる。
【０００６】
そして、一対の突起部１１の間に湾曲部１２を挿入し、湾曲部１２の端部に形成された半円部１２ａをそれぞれの突起部１１に当接させる。このとき湾曲部１２は弾性力により一対の突起部１１をそれぞれ離反する方向に付勢することになるので、半円部１２ａが突起部１１に強固にかみ合って固定される。
【先行技術文献】
【特許文献】
【０００７】
【特許文献１】特開２０１１−６４９２１号公報
【発明の概要】
【発明が解決しようとする課題】
【０００８】
しかし、上記した従来のパッドアーム取付構造では、ブリッジに固定される直径１ｍｍ程度の小さな略円柱状の金属部材にかかる負荷が大きく、特にパッドアームの曲げ角度を微調整する際に壊れやすく、またパッドアームの湾曲部の端部に形成された半円部と前記金属部材との係支による支持力は小さくてぐらつきやすく使用耐久性が充分でないという問題点がある。
【０００９】
そこで、この発明の課題は、上記した問題点を解決してパッドアームを容易に取り替えできることに加えて、パッドアームの曲げ角度を微調整しても取付構造が壊れ難く、またパッドアームがブリッジに緩まずにしっかりと固定でき、使用耐久性にも優れたパッドアーム取付構造とし、またはこれによって使用耐久性およびパッドアームの調整機能および顔面フィット性に優れた眼鏡にすることである。
【課題を解決するための手段】
【００１０】
上記の課題を解決するために、この発明においては、左右一対の眼鏡レンズを連結するブリッジに固定されるパッドアームを、前記ブリッジに対して着脱可能に取付けたパッドアーム取付構造において、前記パッドアームは、左右一対のノーズパッドを両端部に保持する線材の中ほどにばね性の折曲部を設けたものからなり、前記ブリッジの接顔面側に開口させて所定の大きさの長孔を設け、この長孔の大きさは、前記折曲部をばね力に抗してパッドアームの両端部が接近する方向に縮めた状態で挿入可能な長径であり、かつ前記折曲部に密接して保持可能な短径であることを特徴とする眼鏡のパッドアーム取付構造としたのである。
【００１１】
上記したように構成されるこの発明に係る眼鏡のパッドアーム取付構造では、パッドアームの中ほどの折曲部をばね力に抗してパッドアームの両端部が接近する方向に縮めた状態にすることにより、長孔に対してその長径より短い幅の折曲部を容易に差し込んだり、引き抜いたりすることが容易であり、パッドアームを適宜容易に取り替えできる。
【００１２】
また、パッドアームは長孔の内壁面にばね力で圧接して保持されるので、その保持力はピン止めなどに比べて充分に大きいから、パッドアームの曲げ角度を微調整する程度では取付構造は壊れ難く、パッドアームはブリッジに対してばね力でもって緩まずにしっかりと固定できる。
【００１３】
また、長孔の大きさのうち短径は、前記折曲部に密接して保持可能な径であるため、折曲部の線材径との整合性、または折曲部の厚みの弾性変形による整合によって、折曲部を短径方向からもしっかりと固定することができ、パッドアームは短径および長径の両方からブリッジの長孔に緩まずにしっかりと固定でき、使用耐久性にも優れたパッドアーム取付構造となる。
【００１４】
上記折曲部は、Ｕ字状、Ｍ字状、Ｖ字状または凸状などのばね状弾性を有する折曲部であるような態様を採用することができ、各折曲部の形状に応じて上記同様の作用を奏する他、眼鏡の使用時にその前後方向にパッドアームがずれ動かないように取付できる。
【００１５】
また、上記ブリッジが、眼鏡のレンズ枠と一体に設けられたブリッジまたはレンズに直接取り付けられたブリッジであってもよく、いずれでも上記同様の固定性および使用耐久性を得ることができる。
【００１６】
また、上記いずれかの眼鏡のパッドアーム取付構造を採用した眼鏡は、使用耐久性およびパッドアームの調整機能および顔面フィット性に優れた眼鏡になる。
【発明の効果】
【００１７】
この発明は、左右一対のノーズパッドを両端部に保持する線材の中ほどにばね性の折曲部を設けたパッドアームとし、ブリッジの接顔面側に前記パッドアームを着脱自在に固定するための所定寸法の長孔を設けたので、パッドアームを容易に取り替えできることに加えて、パッドアームの曲げ角度を微調整しても取付構造が壊れ難く、またパッドアームがブリッジに緩まずにしっかりと固定でき、使用耐久性にも優れたパッドアーム取付構造となる利点がある。
【００１８】
また、上記したパッドアーム取付構造を有する眼鏡としたことにより、上記した使用耐久性およびパッドアームの調整機能を有し顔面フィット性に優れた眼鏡となる利点がある。
【図面の簡単な説明】
【００１９】
【図１】パッドアーム取付構造の発明の実施形態を示す要部分解斜視図
【図２】パッドアーム取付構造の発明の実施形態を示す要部断面図
【図３】パッドアームの側面図
【図４】従来のパッドアーム取付構造を示す眼鏡の要部背面図
【発明を実施するための形態】
【００２０】
この発明の実施形態を以下に添付図面に基づいて説明する。
図１〜３に示すように、実施形態は、左右一対の眼鏡レンズＬを連結するブリッジ１に固定されるパッドアーム２を、ブリッジ１の長孔３に対して着脱可能に取付け、左右一対のノーズパッド（鼻当て）４を両端部に保持する線材からなるパッドアーム２の中ほどに、凸形のばね性のある折曲部５を設けた眼鏡のパッドアーム取付構造である。
【００２１】
このパッドアーム取付構造においては、ブリッジ１の少なくとも接顔面（背面）側に開口させて所定の大きさの長孔３を設け、この長孔３は、パッドアーム２の両端部が接近する方向に、すなわち開き角度が縮まるように弾性変形させた際の折曲部５を挿入可能な大きさの長径ａであり、かつ前記弾性によるばね力で折曲部５に密接して保持可能な短径ｂである。
【００２２】
すなわち、短径ｂは、ブリッジ１またはパッドアーム２の折曲部５の厚さ方向の弾性変形に応じて折曲部５が抜き差し可能であり、かつ適度な締付け力で嵌め入れられて遊動しないように保持できる寸法である。具体的には、短径ｂは、線材とほぼ同径に形成されるか、または折曲部５の部分的な厚さ方向（図３中の上下方向）の曲げ弾性変形量に応じて整嵌合するような大きさに形成されている。
【００２３】
図示したブリッジ１は、左右一対のレンズＬの間隔を保持する角柱状などのスペーサ６と、左右一対のレンズＬの正面側に跨って螺子８で固定されるブリッジ本体７とからなり、これらスペーサ６とブリッジ本体７は、ロウ付けなどによって接着一体化されたものである。
【００２４】
スペーサ６とブリッジ本体７からなるブリッジ１は、アセテートやポリアミドなどの合成樹脂製またはチタンやニッケルクロム合金などの金属製、その他の周知の眼鏡フレーム用素材で形成することにより、長孔３を所要の大きさに形成し、またそのような材質の選択により所要の強度を得ることができる。
【００２５】
前記した長孔３は、スペーサ６の前後面（正面および背面ともいう）を貫通しており、さらに長孔３の前側の開口部を塞がないようにブリッジ本体７とスペーサ６の間に隙間を形成し、これにより長孔３をパッドアーム２の折曲部５が挿通した際に、折曲部５が充分な深さで挿入され確実に長孔３に保持されるようにしている。
【００２６】
パッドアーム２は、通常の眼鏡に所要の剛性および若干の弾性変形に所要の弾性を備える周知の眼鏡用の金属製線材その他（複合材を含む）の線材を選択的に採用し、所要長さの中ほどをＵ字形に曲げ加工し、ばね性のある凸形の折曲部５を設けている。
【００２７】
凸状の折曲部５は、長孔に挿入可能な大きさである先端部分５ａを有すると共に、長孔の長径以上に広がって先端部分５ａ以外の挿入を阻止する肩部５ｂを形成したものであり、肩部５ｂより末端側の部分は、クリングスとも称され。また、線材の両端部は、クリップ状に折り曲げられて左右一対のノーズパッド４の凸部４ａを挟んで保持し、ノーズパッド４のみを取替えることもできる。
【００２８】
折曲部は、図示した凸状の形態ばかりでなく、Ｕ字状、Ｍ字状またはＶ字状などに曲げ加工されて曲げ方向に対してばね力を発揮する周知形状であってもよい。
【００２９】
このようなパッドアーム取付構造を採用した眼鏡は、左右一対のレンズＬが、ブリッジ１によって直接に連結されるか、またはレンズ枠（図示せず）と一体に設けられたブリッジによって連結され、左右一対のレンズＬまたはレンズ枠に左右のテンプル（図示せず）が蝶番を介して結合される。
【００３０】
図１に示すようにパッドアーム２を取付けるときには、先ず、折曲部５をばね力に抗してパッドアーム２の両端部が接近する方向（図中、Ａ矢印の方向）に指などで押し縮めた状態で太線矢印の方向へ移動させて先端部分５ａから肩部５ｂの直前に至る折曲部５を長孔３に挿入し、挿入後は、前記縮めた状態を開放してばね力を発揮させる。
【００３１】
このとき、パッドアーム２の折曲部５は、長孔３の内壁面の長径方向にばね力で圧接して保持される。長孔３の短径は、線材とほぼ同径とするか、または折曲部５の厚さ方向の曲げ弾性変形に応じて整嵌合する大きさとしているので、折曲部５を短径方向からもしっかりと固定し上下の遊動を防止することができる。
【００３２】
このようにしてパッドアーム２は、ブリッジ１に対して着脱が簡易であり、しかも装着状態でブリッジの長孔３の内壁面に圧接し、短径および長径の両方向から圧力を受けて不動状態に保持されるから、ズレ動くこともなく適宜に着脱してパッドアーム２の曲げ調整もしやすく、常に装着感の良いパッドアーム２になる。
【００３３】
また、図２に示すように、パッドアーム２を取り外すときには、再びパッドアーム２の両端部が接近する方向（図中、Ａ矢印の方向）に縮めた状態（図中に鎖線で示す）で長孔３から太線矢印方向に折曲部５を抜き取ればよい。このようにして、大きさや形状などの異なるパッドアーム２を選択的に採用して容易に取り替えできる。
【００３４】
このように上記のパッドアーム取付構造を採用すると、レンズ枠（図示せず）と一体に設けられたブリッジを有する眼鏡について、または図示したようにレンズＬに直接取り付けられたブリッジ１を有する眼鏡について、パッドアーム２を使用者の鼻の起伏その他の顔面の形状に合わせて角度調整しやすく、顔面フィット性に優れ、かつ装着感および使用耐久性に優れたものになる。
【符号の説明】
【００３５】
１、１０  ブリッジ
２  パッドアーム
３  長孔
４、１４  ノーズパッド
５  折曲部
６  スペーサ
７  ブリッジ本体
８  螺子
１１  突起部
１２  湾曲部
１２ａ  半円部
１３  クリングス
Ｌ  レンズ
ａ  長径
ｂ  短径
【図１】
2013045046.tif 000003
【図２】
2013045046.tif 000004
【図３】
2013045046.tif 000005
【図４】
2013045046.tif 000006